(57)【要約】【課題】認証されたタイムサーバから日時情報を取得すると共に、受像装置から特定のネットワークアクセスを実現することができるコンテンツ配信システムおよび受像装置を提供する。【解決手段】コンテンツ配信システムにおいて、ネットワーク３０を介して、受像装置１０ａ〜１０ｃにデジタルコンテンツを配信するコンテンツ配信システムであって、ネットワーク３０に接続され、受像装置１０ａ〜１０ｃを認証する認証サーバ１３と、ネットワーク３０に接続され、認証サーバ１３で認証された受像装置１０ａ〜１０ｃからのみアクセス可能なデジタルコンテンツ配信ネットワーク４１とを備え、デジタルコンテンツ配信ネットワーク４１は、認証サーバ１３で認証された認証情報と関連づけられた日時情報および日時情報に基づいて再生可能なデジタルコンテンツを受像装置１０ａ〜１０ｃに送信する。【選択図】図１
2009048508.tif 000002
【特許請求の範囲】
【請求項１】
ネットワークを介して、受像装置にデジタルコンテンツを配信するコンテンツ配信システムであって、
前記ネットワークに接続され、前記受像装置を認証する認証サーバと、
前記ネットワークに接続され、前記認証サーバで認証された前記受像装置からのみアクセス可能なコンテンツ配信ネットワークとを備え、
前記コンテンツ配信ネットワークは、前記認証サーバで認証された認証情報と関連づけられた日時情報および前記日時情報に基づいて再生可能な前記デジタルコンテンツを前記受像装置に送信することを特徴とするコンテンツ配信システム。
【請求項２】
請求項１記載のコンテンツ配信システムにおいて、
前記認証サーバは、前記受像装置の識別情報を用いて認証することを特徴とするコンテンツ配信システム。
【請求項３】
請求項１記載のコンテンツ配信システムにおいて、
前記認証サーバは、前記受像装置で取得されたユーザの生体情報を用いて認証することを特徴とするコンテンツ配信システム。
【請求項４】
請求項１記載のコンテンツ配信システムにおいて、
前記認証サーバは、前記日時情報を受信するための鍵情報を前記受像装置へ送信することを特徴とするコンテンツ配信システム。
【請求項５】
ネットワークを介して、コンテンツ配信システムからデジタルコンテンツの配信を受ける受像装置であって、
前記デジタルコンテンツを再生する際の日時情報が設定されるタイマと、
前記コンテンツ配信システムの認証サーバにアクセスし、前記認証サーバに認証された際に、前記コンテンツ配信システムから受信した前記認証時の認証情報と関連づけられた日時情報を、前記タイマに設定し、前記タイマに設定された情報に基づいて、前記コンテンツ配信システムから配信された前記デジタルコンテンツを再生する制御部とを備えたことを特徴とする受像装置。
【請求項６】
請求項５記載の受像装置において、
前記受像装置を利用するユーザを識別する生体情報を取得し、ユーザ認証を行う認証処理部を備え、
前記制御部は、前記認証処理部で認証された前記生体情報を前記認証サーバに送信することを特徴とする受像装置。
【発明の詳細な説明】
【技術分野】
【０００１】
本発明は、ネットワークを介してコンテンツデータを送信するコンテンツ配信システムおよびコンテンツ配信システムから配信されるコンテンツを受信する受像装置に関し、特に、受像装置側で、一定の条件のもと視聴が可能となる技術に関する。
【背景技術】
【０００２】
インターネットのブロードバンド化が進み、広帯域データ通信を利用したアプリケーションが増加しつつある。コンピュータのアプリケーションとして、インターネットを利用した映像コンテンツのストリーミング視聴が多く見られるようになった。一方、ＣＤやＤＶＤのレンタルサービスは日常生活に浸透しており、映像コンテンツのレンタルサービスに対する需要は高いと言える。こうした中、今後はネットワークを介した、デジタルコンテンツの一定期間視聴を可能とするサービスが普及すると考えられる。
【０００３】
また、従来、デジタルコンテンツのレンタルを実現する技術として、特開２００１−２２９２２９号公報（特許文献１）の「デジタルコンテンツの配信システム、デジタルコンテンツの配信方法、およびこの配信システムから配信されたデジタルコンテンツを閲覧するためのコンピュータプログラムを記録した記録媒体」や、特開２００３−２８８２７４号公報（特許文献２）の「デジタルコンテンツのレンタル管理方法およびレンタル管理システム」に開示されているような、日時情報を提供するサーバにアクセスしコンテンツの視聴管理を行う技術があった。
【特許文献１】特開２００１−２２９２２９号公報
【特許文献２】特開２００３−２８８２７４号公報
【発明の開示】
【発明が解決しようとする課題】
【０００４】
しかしながら、従来のデジタルコンテンツに再生期間を設け、レンタルシステムを実現する場合は、ネットワーク内に悪意のある偽装のタイムサーバがある場合に日時情報を改ざんされるという問題があった。
【０００５】
また、受像装置から任意のネットワークへアクセスし、予期しないサイトやサーバへアクセスする危険性がある。
【０００６】
そこで、本発明の目的は、認証されたタイムサーバから日時情報を取得すると共に、受像装置から特定のネットワークアクセスを実現することができるコンテンツ配信システムおよび受像装置を提供することにある。
【０００７】
本発明の前記ならびにその他の目的と新規な特徴は、本明細書の記述および添付図面から明らかになるであろう。
【課題を解決するための手段】
【０００８】
本願において開示される発明のうち、代表的なものの概要を簡単に説明すれば、次のとおりである。
【０００９】
本発明によるコンテンツ配信システムは、ネットワークを介して、受像装置にデジタルコンテンツを配信するコンテンツ配信システムであって、ネットワークに接続され、受像装置を認証する認証サーバと、ネットワークに接続され、認証サーバで認証された受像装置からのみアクセス可能なコンテンツ配信ネットワークとを備え、コンテンツ配信ネットワークは、認証サーバで認証された認証情報と関連づけられた日時情報および日時情報に基づいて再生可能なデジタルコンテンツを受像装置に送信するものである。
【００１０】
また、本発明による受像装置は、ネットワークを介して、コンテンツ配信システムからデジタルコンテンツの配信を受ける受像装置であって、デジタルコンテンツを再生する際の日時情報が設定されるタイマと、コンテンツ配信システムの認証サーバにアクセスし、認証サーバに認証された際に、コンテンツ配信システムから受信した認証時の認証情報と関連づけられた日時情報を、タイマに設定し、タイマに設定された情報に基づいて、コンテンツ配信システムから配信されたデジタルコンテンツを再生する制御部とを備えたものである。
【発明の効果】
【００１１】
本願において開示される発明のうち、代表的なものによって得られる効果を簡単に説明すれば以下のとおりである。
【００１２】
本発明によれば、ネットワークを介してデジタルコンテンツをテレビで特定の期間のみ視聴するサービスにおいて、そのサービスに契約した正規ユーザのみがサービスを享受できると共に、ユーザが日時情報を不正に操作して視聴期間の延長を防止することができる。また、デジタルコンテンツ提供者やユーザの予期せぬサイトへのアクセスを防止することができる。
【発明を実施するための最良の形態】
【００１３】
以下、本発明の実施の形態を図面に基づいて詳細に説明する。なお、実施の形態を説明するための全図において、同一の部材には原則として同一の符号を付し、その繰り返しの説明は省略する。
【００１４】
（実施の形態１）
図１により、本発明の実施の形態１に係るコンテンツ配信システムおよび受像装置の全体構成について説明する。図１は本発明の実施の形態１に係るコンテンツ配信システムおよび受像装置の全体構成を示す構成図である。
【００１５】
図１において、コンテンツ配信システム４０は、配信サーバ１１、著作権管理サーバ１２、認証サーバ１３、タイムサーバ１４、Ｗｅｂサーバ１８、決済サーバ２０から構成されている。
【００１６】
配信サーバ１１、著作権管理サーバ１２、タイムサーバ１４、Ｗｅｂサーバ１８、決済サーバ２０は、ネットワークスイッチ３１を介して接続され、ネットワークスイッチ３１および認証サーバ１３はネットワーク３０を介して接続されている。
【００１７】
また、ネットワーク３０には、複数の受像装置１０（１０ａ〜１０ｃ）が接続され、ネットワーク３０を介して、コンテンツ配信システム４０にアクセスするようになっている。
【００１８】
ここで、配信サーバ１１、著作権管理サーバ１２、認証サーバ１３およびタイムサーバ１４は、ＣＰＵ（Ｃｅｎｔｒａｌ  Ｐｒｏｃｅｓｓｉｎｇ  Ｕｎｉｔ）、記憶装置、ネットワークインタフェースなどを有するようなコンピュータである。
【００１９】
また、受像装置１０は、例えば、ネットワークインタフェースを有するテレビである。受像装置１０はブラウザを搭載し、ネットワーク３０を介して各種サーバへアクセスする。
【００２０】
次に、図１により、本発明の一実施の形態に係るコンテンツ配信システム４０から受像装置１０がデジタルコンテンツを取得する手順について説明する。
【００２１】
まず、受像装置１０は、認証サーバ１３にアクセスし、受像装置１０の個別に割当てられた識別子がユーザ管理ＤＢ１７に登録状況に基づき認証を行う。認証されるとネットワークスイッチ３１は受像装置１０のアクセスを許可し、デジタルコンテンツ配信ネットワーク４１へのアクセスが可能となる。
【００２２】
次に、受像装置１０からＷｅｂサーバ１８へアクセスし、デジタルコンテンツの一覧やおすすめ情報など各種情報を取得し、受像装置１０にて表示する。ユーザは表示された情報をもとに視聴したいデジタルコンテンツを選択する。
【００２３】
受像装置１０は、選択したデジタルコンテンツの識別情報（メタデータ）をＷｅｂサーバ１８から取得し、デジタルコンテンツを格納しているサーバやデジタルコンテンツを復号する鍵情報など、デジタルコンテンツのダウンロードに必要な情報を解析する。
【００２４】
受像装置１０は、解析した情報から選択したデジタルコンテンツを配信サーバ１１へ要求し、配信サーバ１１は該当するデジタルコンテンツを受像装置１０に対して出力する。
【００２５】
次に、図２により、本発明の実施の形態１に係る受像装置の詳細構成について説明する。図２は本発明の実施の形態１に係る受像装置の詳細構成を示す構成図である。
【００２６】
図２において、受像装置１０は、ＣＰＵ１０１、メインメモリ１０２、データおよび制御Ｉ／Ｆ１０３、メディア処理／表示制御部１０４、ディスプレイ１０５、スピーカ１０６、ワークメモリ１０７、放送受信Ｉ／Ｆ１０８、放送受信制御部１０９、コンテンツ制御部１１０、ネットワークＩ／Ｆ１１１、ＩＰ放送受信／通信制御部１１２、ＨＤＤ１１３、リモコン送受信部１１４、リモコン情報制御部１１５、タイマ１２０から構成されている。
【００２７】
また、メインメモリ１０２内に格納されたプログラムをＣＰＵ１０１で実行することにより、メディア処理／表示制御部１０４、放送受信制御部１０９、コンテンツ制御部１１０、ＩＰ放送受信／通信制御部１１２、リモコン情報制御部１１５の各制御部を制御し、受像装置１０全体の制御部としての処理を実行している。
【００２８】
放送受信制御部１０９は、例えばチューナを含んでおり、リモコン入力による切替信号に基づいてチャンネル選択動作を行い、所望のチャンネルのテレビジョン放送信号（地上波アナログ／デジタル放送信号、ＢＳ／ＣＳアナログ／デジタル放送信号）を受信する。
【００２９】
リモコンからのチャンネル情報をリモコン送受信部１１４で受信し、リモコン情報制御部１１５にてリモコンからの受信情報を解釈し、放送受信制御部１０９の制御を行い放送受信Ｉ／Ｆ１０８から受信したチャンネルの番組の視聴および、データ放送情報も視聴可能である。
【００３０】
また、受像装置１０は一般のコンピュータと異なり、ユーザ操作を基本的にはリモコンで行うが、日時情報の設定に関してはユーザ設定機能を持たず、ユーザによる日時情報の不正な設定は行えないようになっている。
【００３１】
ネットワークによるデジタルコンテンツ取得においては、認証を行った受像装置１０とタイムサーバ１４間の日時情報をもとに再生制御を行う。
【００３２】
また、ＩＰ放送受信／通信制御部１１２は、ＭＰＥＧ−２などによって符号化されたコンテンツ情報などをネットワーク３０に接続されたＷｅｂサーバ１８から取得し、ＩＰ放送やＶＯＤ（ビデオオンデマンド）のコンテンツサービスによるコンテンツ視聴も可能となる。
【００３３】
デジタルコンテンツをダウンロードする場合は、コンテンツ制御部１１０を通してハードディスク１１３へ記録する。
【００３４】
次に、図３〜図５により、本発明の実施の形態１に係るコンテンツ配信システムおよび受像装置の動作について説明する。図３は本発明の実施の形態１に係るコンテンツ配信システムおよび受像装置のデジタルコンテンツを取得する動作を示すシーケンス図、図４は本発明の実施の形態１に係るコンテンツ配信システムおよび受像装置の動作中の受像装置上に表示されるデジタルコンテンツ一覧の一例を示す図、図５は本発明の実施の形態１に係るコンテンツ配信システムおよび受像装置の再生期間を延長する動作を示すシーケンス図である。
【００３５】
まず、受像装置１０とコンテンツ配信システム４０内の各種サーバが通信しデジタルコンテンツを取得する動作としては、図３に示すように、受像装置１０が認証サーバ１３に対して、受像装置１０の識別情報２０１ａを送信し（Ｓ１００）、認証サーバ１３は、認証情報２０１ｂを返す（Ｓ１０１）。
【００３６】
受像装置１０が認証されると、受像装置１０は、コンテンツ配信システム４０内の各種サーバのネットワークであるデジタルコンテンツ配信ネットワーク４１へのアクセスが可能となる。このとき受像装置１０は認証情報２０１ｂを記憶しておく。認証情報２０１ｂにはタイムサーバ１４からの日時情報を得るための鍵情報が含まれている。
【００３７】
次に、受像装置１０はＷｅｂサーバ１８に対してデジタルコンテンツ画面要求２０２ａを実行し（Ｓ１０２）、Ｗｅｂサーバ１８から画面データ２０２ｂを受信する（Ｓ１０３）。受像装置１０は受信した画面データ２０２ｂを、例えば、図４に示すようなデジタルコンテンツ一覧として表示する。
【００３８】
図４に示す画面はコンテンツのサムネール３０１と生活関連情報などが表示されている。デジタルコンテンツの選択はサムネール３０１からテレビのリモコンを操作して決定する。デジタルコンテンツの選択は１つもしくは１つ以上選択できる。デジタルコンテンツ選択後、ダウンロード実行ボタン３０２を選択すると、受像装置１０は、選択したデジタルコンテンツのメタデータ２０３を要求し（Ｓ１０４）、Ｗｅｂサーバ１８からメタデータ２０３を受信する（Ｓ１０５）。
【００３９】
受像装置１０は、Ｗｅｂサーバ１８から受信したメタデータ２０３からデジタルコンテンツの格納されているサーバのアドレスやデジタルコンテンツの識別情報を解析し、得られた情報を元に受像装置１０は、著作権管理サーバ１２に著作権情報を要求し（Ｓ１０６）、著作権管理サーバ１２から選択したデジタルコンテンツの著作権情報２０４を取得し（Ｓ１０７）、記憶しておく。
【００４０】
次に、受像装置１０は認証時に記憶しておいた認証情報２０１ｂをタイムサーバ１４へ通知し（Ｓ１０８）日時情報２０５を取得する（Ｓ１０９）。このとき認証情報２０１ｂをもとに、正しい日時情報を得ることができる。
【００４１】
著作権情報２０４および日時情報取得後、受像装置１０は、デジタルコンテンツの課金情報２０６ａを決済サーバ２０へ送信し（Ｓ１１０）、決済サーバ２０から決済完了通知２０６ｂを受信する（Ｓ１１１）。
【００４２】
決済完了通知２０６ｂの受信後、配信サーバ１１へデジタルコンテンツの識別情報２０７ａを送信し（Ｓ１１２）、受像装置１０は配信サーバ１１からデジタルコンテンツ２０７ｂを受信する（Ｓ１１３）。
【００４３】
なお、図３のシーケンス図において、認証シーケンス（Ｓ１００、Ｓ１０１）、コンテンツ一覧取得シーケンス（Ｓ１０２、Ｓ１０３）、メタデータ取得シーケンス（Ｓ１０４、Ｓ１０５）の一連のシーケンスの実行後、著作権情報取得シーケンス（Ｓ１０６、Ｓ１０７）、日時情報取得シーケンス（Ｓ１０８、Ｓ１０９）、決済情報シーケンス（Ｓ１１０、Ｓ１１１）、コンテンツ取得シーケンス（Ｓ１１２、Ｓ１１３）に関しては、その順番は任意でも構わない。
【００４４】
Ｓ１０７で著作権管理サーバ１２から取得した著作権情報２０４には、デジタルコンテンツの再生に関する制御情報があり、デジタルコンテンツの再生期間は制御情報の１つである。
【００４５】
Ｓ１０９でタイムサーバ１４から取得した日時情報２０５はタイマ１２０に設定する。
【００４６】
ハードディスク１１３に記録されたデジタルコンテンツを再生するソフトウェアはメインメモリ１０２にあり、タイマ１２０の日時情報と再生期間を比較することでダウンロードしたデジタルコンテンツの再生制御を行うことができる。
【００４７】
また、再生期間を過ぎたデジタルコンテンツについては、適宜削除して構わない。例えば、受像装置１０の電源起動時にバックグラウンドで削除する、もしくは、ハードディスク１１３の空き容量があらかじめ設定しておいた値を下回ったときに削除する、ユーザが明示的に削除する方法がある。
【００４８】
再生期間が過ぎたデジタルコンテンツがハードディスクに残っている場合、図５に示すシーケンス図の動作により、再生期間の延長を行うことも可能である。
【００４９】
図５のシーケンス図において、最初の認証シーケンス（Ｓ１００、Ｓ１０１）からデジタルコンテンツ取得シーケンス（Ｓ１１２、Ｓ１１３）までは図３に示すシーケンス図の動作と同じである。
【００５０】
再生期間が過ぎていて、デジタルコンテンツがハードディスク１１３に存在している場合は、受像装置１０が認証サーバ１３に対して、受像装置１０の識別情報２０１ａを送信し（Ｓ２００）、認証サーバ１３は、認証情報２０１ｂを返す（Ｓ２０１）。
【００５１】
受像装置１０が認証されると、受像装置１０は、コンテンツ配信システム４０内の各種サーバのネットワークであるデジタルコンテンツ配信ネットワーク４１へのアクセスが可能となる。このとき受像装置１０は認証情報２０１ｂを記憶しておく。認証情報２０１ｂにはタイムサーバ１４からの日時情報を得るための鍵情報が含まれている。
【００５２】
次に、受像装置１０は、著作権管理サーバ１２に再生期間が過ぎたデジタルコンテンツの著作権情報を要求し（Ｓ２０２）、著作権管理サーバ１２から選択したデジタルコンテンツの著作権情報２０４を取得し（Ｓ２０３）、記憶しておく。
【００５３】
次に、受像装置１０は認証時に記憶しておいた認証情報２０１ｂをタイムサーバ１４へ通知し（Ｓ２０４）日時情報２０５を取得する（Ｓ２０５）。このとき認証情報２０１ｂをもとに、正しい日時情報を得ることができる。
【００５４】
著作権情報２０４および日時情報２０５取得後、受像装置１０は、デジタルコンテンツの課金情報２０６ａを決済サーバ２０へ送信し（Ｓ２０６）、決済サーバ２０から決済完了通知２０６ｂを受信する（Ｓ２０７）。
【００５５】
以上の処理により、デジタルコンテンツを再生するための鍵を新たに得ることができ、Ｓ１１２、Ｓ１１３による再生制御を行うことで、延長した期間の再生が可能となる。
【００５６】
（実施の形態２）
実施の形態２は、実施の形態１において、認証サーバ１３の認証をユーザ認証で実施するようにしたものである。
【００５７】
図６により、本発明の実施の形態２に係る受像装置の詳細構成について説明する。図６は本発明の実施の形態２に係る受像装置の詳細構成を示す構成図であり、コンテンツ配信システムの構成は、実施の形態１と同様である。
【００５８】
図６において、受像装置１０は、受像装置１０側で生体情報などによりユーザ認証を行う認証処理部２０１を備えている。その他の構成は、実施の形態１と同様である。
【００５９】
本実施の形態では、ユーザ認証は個人を特定可能な生体情報を用いて行う。リモコン送受信部１１４は、リモコンからのコマンド入力情報および生体情報を受信し、リモコン情報制御部１１５は、認証処理部２０１に生体情報を送信し、認証処理部２０１でユーザ認証を行い、生体情報は、個人情報の保護の観点から暗号化される。
【００６０】
ＣＰＵ１０１は、メインメモリ１０２にプログラムを有し、リモコンからの制御コマンド情報を解析するプログラムを実行し、ユーザの所望するコンテンツ視聴に対応した要求を出すと共に、コンテンツ制御部１１０を制御することで放送波からのコンテンツデータ受信であるか、ネットワーク３０からのデータ受信であるかを制御し、ネットワーク３０からのデータ受信の場合には、ＩＰ放送受信／通信制御部１１２から認証サーバ１３に生体情報を送信し、認証サーバ１３では、受像装置１０から受信した生体情報を、認証サーバ１３のデータベース１７と照合し、生体情報をもとに正規のユーザであることを確認し、サービス提供を実施するか否かの判定を行う。
【００６１】
また、ＩＰ放送受信／通信制御部１１２から所望するコンテンツ情報取得要求をＷｅｂサーバ１８に送信する。Ｗｅｂサーバ１８は、認証サーバ１３との生体情報の照合判定結果情報とサービス契約データベースである認証テーブルと照合し、サービスの提供を行う。
【００６２】
サービス契約を締結している正規なユーザ、かつサービス提供制限の無いユーザである場合には、Ｗｅｂサーバ１８は、ユーザから要求されたコンテンツを配信などのサービスを提供し、ネットワークＩ／Ｆ１１１を介し、映像コンテンツ情報、サービス取得制御情報の送受信を受像装置１０間で行うことでユーザがサービスを享受することが可能となる。
【００６３】
コンテンツ制御部１１０は、要求したサービスが、ダウンロードや録画サービスの場合には、ＩＰ放送受信／通信制御部１１２で受信したコンテンツ情報を取得後、ＨＤＤ１１３に録画、ダウンロードを行う。
【００６４】
また、視聴サービスの場合には、コンテンツ情報をデータおよび制御Ｉ／Ｆ１０３を介してメディア処理／表示制御部１０４へ供給し、ディスプレイ１０５に表示し、スピーカ１０６から音声データを出力することで映像コンテンツ視聴を行う。
【００６５】
さらに、メディア処理／表示制御部１０４は、ワークメモリ１０７を活用し、映像フォーマットのデコード機能を有し、データ放送や映像コンテンツ情報、ブラウザで取得したホームページ情報の表示を行う。
【００６６】
また、ＨＤＤ１１３へは、映像コンテンツ情報の蓄積や、録画映像データの蓄積、映像コンテンツのフォーマット変換のワークエリアとして利用しても構わない。
【００６７】
また、Ｗｅｂサーバ１８は、認証サーバ１３で生体情報の不一致が発生した場合、サービス契約が未契約の場合には、エラーメッセージを返信し、コンテンツ情報と同様のデータ処理でディスプレイ１０５に認証失敗もしくは、再度認証処理する旨の通知、サービス契約が契約されていない旨の通知を行う。
【００６８】
また、コンテンツ制御部１１０は、有料サービス向けの契約チャンネルや課金情報、著作権保護情報等の管理、映像コンテンツ情報の著作権情報を管理しており、所望チャンネルのデジタル放送について、ユーザの契約状況などの必要に応じＷｅｂサーバ１８や認証サーバ１３からの個人の特定と合わせ、著作権に関する認証処理、暗号の解読処理等を行う。
【００６９】
これにより、個人を特定する生体認証と受像装置１０による著作権保護機能を統合することが可能となり、ユーザが簡単にかつコンテンツホルダが不正コピーされることなく安心してコンテンツの提供も可能となる。
【００７０】
また、従たるコンテンツ情報の著作権の管理も行うことで、不正な利用を防ぐことも可能となる。
【００７１】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００７２】
本発明は、ネットワークを介してコンテンツデータを送信するコンテンツ配信システムおよびコンテンツ配信システムから配信されるコンテンツを受信する受像装置に関し、受像装置側で、一定の条件のもと視聴が可能となる機器に広く適用可能である。
【図面の簡単な説明】
【００７３】
【図１】本発明の実施の形態１に係るコンテンツ配信システムおよび受像装置の全体構成を示す構成図である。
【図２】本発明の実施の形態１に係る受像装置の詳細構成を示す構成図である。
【図３】本発明の実施の形態１に係るコンテンツ配信システムおよび受像装置のデジタルコンテンツを取得する動作を示すシーケンス図である。
【図４】本発明の実施の形態１に係るコンテンツ配信システムおよび受像装置の動作中の受像装置上に表示されるデジタルコンテンツ一覧の一例を示す図である。
【図５】本発明の実施の形態１に係るコンテンツ配信システムおよび受像装置の再生期間を延長する動作を示すシーケンス図である。
【図６】本発明の実施の形態２に係る受像装置の詳細構成を示す構成図である。
【符号の説明】
【００７４】
１０（１０ａ〜１０ｃ）…受像装置、１１…配信サーバ、１２…著作権管理サーバ、１３…認証サーバ、１４…タイムサーバ、１７…データベース、１８…Ｗｅｂサーバ、２０…決済サーバ、３０…ネットワーク、４０…コンテンツ配信システム、４１…デジタルコンテンツ配信ネットワーク、１０１…ＣＰＵ、１０２…メインメモリ、１０３…データおよび制御Ｉ／Ｆ、１０４…メディア処理／表示制御部、１０５…ディスプレイ、１０６…スピーカ、１０７…ワークメモリ、１０８…放送受信Ｉ／Ｆ、１０９…放送受信制御部、１１０…コンテンツ制御部、１１１…ネットワークＩ／Ｆ、１１２…ＩＰ放送受信／通信制御部、１１３…ＨＤＤ、１１４…リモコン送受信部、１１５…リモコン情報制御部、１２０…タイマ、２０１…認証処理部、３００…表示画面。
【図１】
2009048508.tif 000003
【図２】
2009048508.tif 000004
【図３】
2009048508.tif 000005
【図４】
2009048508.tif 000006
【図５】
2009048508.tif 000007
【図６】
2009048508.tif 000008